(57)【特許請求の範囲】
【請求項１】
施解錠を許可するべく予め特定されたキーが挿入される挿入口を有する複数のシリンダー錠と、
前記シリンダー錠の各々の施解錠状態を検知する検知手段と、
前記複数の全てのシリンダー錠が施錠となっている状態から各シリンダー錠が解錠されたときに、解錠された順番に各シリンダー錠が解錠される間の経過時間、又は前記複数の全てのシリンダー錠が解錠となっている状態から各シリンダー錠が施錠されたときに、施錠された順番に各シリンダー錠が施錠される間の経過時間を、前記検知手段の検知出力に基づいて監視し、前記経過時間が予め設定した設定時間を越えたときに異常信号を出力する施解錠状態監視手段とを備えたことを特徴とする施解錠状態監視システム。
【請求項２】
施解錠を許可するべく予め特定されたキーが挿入され、該キーの回転操作に連動して施解錠が行われる複数のシリンダー錠と、
前記シリンダー錠の各々の施解錠状態を検知し、各シリンダー錠毎の施錠又は解錠を示す錠信号を出力する検知手段と、
前記複数のシリンダー錠を解錠又は施錠したときの各シリンダー錠の解錠又は施錠動作が行われる間で、前記検知手段が出力する１のシリンダー錠の錠信号が施錠から解錠又は解錠から施錠を示す信号に変化したタイミングで計時を開始し、次に前記検知手段が出力する他のシリンダー錠の錠信号が施錠から解錠又は解錠から施錠を示す信号に変化したタイミングで前記計時を停止することにより、前記複数の全てのシリンダー錠が施錠となっている状態から各シリンダー錠が解錠されたときに、解錠された順番に各シリンダー錠が解錠される間の経過時間、又は前記複数の全てのシリンダー錠が解錠となっている状態から各シリンダー錠が施錠されたときに、施錠された順番に各シリンダー錠が施錠される間の経過時間を監視し、該監視した経過時間が予め設定した設定時間を越えたときに異常信号を出力する施解錠状態監視手段とを備えたことを特徴とする施解錠状態監視システム。
【発明の詳細な説明】
【０００１】
【発明の属する技術分野】
本発明は、例えばワンドア２ロックシステム等のように、扉に複数のシリンダー錠を備えた施解錠装置における各シリンダー錠の施解錠状態を監視する施解錠状態監視システムに関する。
【０００２】
【従来の技術】
施解錠装置には、防犯性能を高めるために、一の扉に二つの錠前を設ける、所謂ワンドア２ロックシステムが従来より採用されている。従来、このワンドア２ロックシステムは、屋外側に２シリンダー、屋内側に２サムターンを装着する、すなわちそれぞれが単独で機能する施解錠装置を２つ設ける構成が一般的である。このような施解錠装置を採用した場合には、施錠箇所に種々の錠前を設けることができるので、バール等によるこじ開けを困難にして防犯性能を高めることができる。
【０００３】
ところで、近年、上記ワンドア２ロックシステムを採用した部屋に警備システムを導入したものも知られている。この警備システムでは、全てのシリンダー錠が施錠されたときにその部屋が自動的に警戒状態となり、再び部屋に戻って来て全てのシリンダー錠が解錠されたときに自動的に警戒状態が解除されるようになっている。これにより、より高い防犯性能の実現を図っている。
【０００４】
【発明が解決しようとする課題】
しかしながら、上記のように、ワンドア２ロックシステムと警備システムを併用した構成でも、部屋を留守にしている間に、外部からの不正行為により全てのシリンダー錠が解錠された場合には、警戒状態を解除した状態でその部屋に不法侵入されてしまうという問題があった。
【０００５】
このため、ワンドア２ロックシステムを採用した構成だけでなく、ワンドア２ロックシステムと警備システムを併用した構成においても、より高い防犯性能が望まれている。
【０００６】
そこで、本発明は、上記問題点に鑑みてなされたものであり、シリンダー錠の施解錠状態を常時監視し、外部からの不正行為による解錠を防止して防犯性能の向上を図ることができる施解錠状態監視システムを提供することを目的としている。
【０００７】
【課題を解決するための手段】
上記目的を達成するため、請求項１の発明は、施解錠を許可するべく予め特定されたキーが挿入される挿入口を有する複数のシリンダー錠と、
前記シリンダー錠の各々の施解錠状態を検知する検知手段と、
前記複数の全てのシリンダー錠が施錠となっている状態から各シリンダー錠が解錠されたときに、解錠された順番に各シリンダー錠が解錠される間の経過時間、又は前記複数の全てのシリンダー錠が解錠となっている状態から各シリンダー錠が施錠されたときに、施錠された順番に各シリンダー錠が施錠される間の経過時間を、前記検知手段の検知出力に基づいて監視し、前記経過時間が予め設定した設定時間を越えたときに異常信号を出力する施解錠状態監視手段とを備えたことを特徴とする。
【０００８】
請求項２の発明は、施解錠を許可するべく予め特定されたキーが挿入され、該キーの回転操作に連動して施解錠が行われる複数のシリンダー錠と、
前記シリンダー錠の各々の施解錠状態を検知し、各シリンダー錠毎の施錠又は解錠を示す錠信号を出力する検知手段と、
前記複数のシリンダー錠を解錠又は施錠したときの各シリンダー錠の解錠又は施錠動作が行われる間で、前記検知手段が出力する１のシリンダー錠の錠信号が施錠から解錠又は解錠から施錠を示す信号に変化したタイミングで計時を開始し、次に前記検知手段が出力する他のシリンダー錠の錠信号が施錠から解錠又は解錠から施錠を示す信号に変化したタイミングで前記計時を停止することにより、前記複数の全てのシリンダー錠が施錠となっている状態から各シリンダー錠が解錠されたときに、解錠された順番に各シリンダー錠が解錠される間の経過時間、又は前記複数の全てのシリンダー錠が解錠となっている状態から各シリンダー錠が施錠されたときに、施錠された順番に各シリンダー錠が施錠される間の経過時間を監視し、該監視した経過時間が予め設定した設定時間を越えたときに異常信号を出力する施解錠状態監視手段とを備えたことを特徴とする。
【０００９】
【発明の実施の形態】
図１は本発明による施解錠状態監視システムの回路構成図、図２は同システムが採用されるワンドア２ロックシステムにおけるシリンダー錠の概略構成の一例を示す斜視図、図３は同システムの正常時のタイミングチャート、図４は同システムの異常時のタイミングチャートである。
【００１０】
本例の施解錠状態監視システムは、従来の技術でも説明したワンドア２ロックシステムを採用した構成、ワンドア２ロックシステムと警備システムを併用した構成等に適用されるものである。以下では、本例の施解錠監視システムをワンドア２ロックシステムの構成に適用した場合について説明する。本例の施解錠監視システムは、図２に示すワンドア２ロックシステムのシリンダー錠の構成部分と、図１に示す回路部分（施解錠状態監視手段）を有している。
【００１１】
まず、図２を参照しながらワンドア２ロックシステムのシリンダー錠の構成について説明する。図２において、不図示の扉の端部に内蔵される錠箱には、キー１の挿入口２，３が屋外側に露出した状態で第１シリンダー錠４と、第２シリンダー錠５とが上下に設けられている。これら第１シリンダー錠４と第２シリンダー錠５は、施解錠を許可するべく予め特定された同一又は異なるキー１を挿入口２，３に挿入して回転操作される。
【００１２】
なお、特に図示はしないが、前記錠箱には、第１シリンダー錠４、第２シリンダー錠５、サムターンの操作により扉枠に対してデットボルトを進退させて施解錠を可能とする施解錠機構が内蔵されている。
【００１３】
第１シリンダー錠４の回転軸４ａには、回転板の一部に突出部を有する突起片６が取り付けられている。突起片６は、第１シリンダー錠４の挿入口２にキー１が挿入されて内筒が回転操作されたときに、この回転操作に連動して回転するものである。図２の例では、第１シリンダー錠４の挿入口２が水平状態で挿入口２にキー１を挿入して第１シリンダー錠４の内筒が時計回りに９０°回転した位置を施錠位置としている。これに対し、第１シリンダー錠４の挿入口２が水平状態で挿入口２にキー１を挿入して第１シリンダー錠４の内筒が反時計回りに９０°回転した位置を解錠位置としている。施錠位置には検知手段としての施錠用マイクロスイッチ７が設けられ、同様に解錠位置には検知手段としての解錠用マイクロスイッチ８が設けられている。
【００１４】
そして、上述した第１シリンダー錠４の回転操作によって突起片６が施錠用マイクロスイッチ７の作動子７ａを押圧したときに、施錠用マイクロスイッチ７から施錠を示す錠信号（ハイレベル「Ｈ」の第１錠信号）が出力され、第１シリンダー錠４の回転操作によって突起片６が解錠用マイクロスイッチ８の作動子８ａを押圧したときに解錠用マイクロスイッチ８から解錠を示す錠信号（ローレベル「Ｌ」の第１錠信号）が出力される。
【００１５】
第２シリンダー錠５についても、上述した第１シリンダー錠４と同様に、第２シリンダー錠５の回転軸５ａには、回転板の一部に突出部を有する突起片９が取り付けられている。突起片９は、第２シリンダー錠５の挿入口３にキー１が挿入されて内筒が回転操作されたときに、この回転操作に連動して回転するものである。図２の例では、第２シリンダー錠５の挿入口３が水平状態で挿入口３にキー１を挿入して第２シリンダー錠５の内筒が時計回りに９０°回転した位置を施錠位置としている。これに対し、第２シリンダー錠５の挿入口３が水平状態で挿入口３にキー１を挿入して第２シリンダー錠５の内筒が反時計回りに９０°回転した位置を解錠位置としている。施錠位置には検知手段としての施錠用マイクロスイッチ１０が設けられ、同様に解錠位置には検知手段としての解錠用マイクロスイッチ１１が設けられている。
【００１６】
そして、上述した第２シリンダー錠５の回転操作によって突起片９が施錠用マイクロスイッチ１０の作動子１０ａを押圧したときに施錠用マイクロスイッチ１０から施錠を示す錠信号（ハイレベル「Ｈ」の第２錠信号）が出力され、第２シリンダー錠５の回転操作によって突起片９が解錠用マイクロスイッチ１１の作動子１１ａを押圧したときに解錠用マイクロスイッチ１１から解錠を示す錠信号（ローレベル「Ｌ」の第２錠信号）が出力される。
【００１７】
次に、図１を参照しながら回路部分の構成について説明する。回路部分は、図１に示すように、信号合成回路２１、タイマー回路２２、ラッチ回路２３を備えて概略構成される。
【００１８】
信号合成回路２１は、マイクロスイッチ７，８からの第１錠信号と、マイクロスイッチ１０，１１からの第２錠信号を合成して第１合成信号と第２合成信号を出力している。更に説明すると、図１の例における信号合成回路２１は、マイクロスイッチ７，８から入力される第１錠信号と、マイクロスイッチ１０，１１から入力される第２錠信号の論理積（アンド）をとって第１合成信号を出力している。すなわち、信号合成回路２１は、入力される第１錠信号と第２錠信号が共にハイレベル（施錠）のときにハイレベルの第１合成信号を出力する。これに対し、入力される第１錠信号と第２錠信号のいずれかがローレベル（解錠）のときにはローレベルの第１合成信号を出力する。この第１合成信号は、タイマー回路２２のスタート端子及びクリアー端子、ラッチ回路２３のＤ端子に入力される。
【００１９】
また、信号合成回路２１は、マイクロスイッチ７，８から入力される第１錠信号と、マイクロスイッチ１０，１１から入力される第２錠信号の論理和（オア）をとって第２合成信号を出力している。すなわち、信号合成回路２１は、入力される第１錠信号と第２錠信号のいずれかがハイレベル（施錠）のときにハイレベルの第２合成信号を出力する。これに対し、入力される第１錠信号と第２錠信号が共にローレベル（解錠）のときにはローレベルの第２合成信号を出力する。この第２合成信号は、タイマー回路２２のスタート端子、ラッチ回路２３のクリアー端子に入力される。
【００２０】
タイマー回路２２は、第１錠信号が「施錠」（ハイレベル）から「解錠」（ローレベル）に変化したときにタイマーカウントを開始し、タイマーカウントが開始されてからの経過時間が予め設定されたタイマー時間を越えたときに、オーバーフロー信号をラッチ回路２３に出力している。ここで、上記タイマー時間は、日常の施解錠動作で、第１シリンダー錠４を解錠してから第２シリンダー錠５を解錠するまでに要する必要最小限の時間（例えば数秒）に設定されている。
【００２１】
図１の例におけるタイマー回路２３は、スタート端子に対して信号合成回路２１から入力される第１合成信号がハイレベルからローレベルに変化したときのタイミングでタイマーカウントが開始される。また、タイマー回路２３は、スタート端子に対して信号合成回路２１から入力される第２合成信号がハイレベルからローレベルに変化したときのタイミングでタイマーカウントが停止し、その内容がクリアーされる。そして、タイマー回路２２は、タイマーカウントが開始されてから停止するまでの経過時間が予め設定した前記タイマー時間を越えたときに、オーバーフロー信号をラッチ回路２３のクロック端子（ＣＫ）に出力している。
【００２２】
ラッチ回路２３は、タイマー回路２３のタイマーカウントによる経過時間がタイマー時間を越えたときに異常信号を出力保持している。図１の例におけるラッチ回路２３は、Ｄ型フリップフロップ回路で構成される。このラッチ回路２３では、クロック端子（ＣＫ）にタイマー回路２２からオーバーフロー信号が入力されたとき、すなわち、タイマー回路２２のタイマーカウントによる経過時間がタイマー時間（設定時間）を越えたときにハイレベルの異常信号をＱ端子から保持出力している。なお、ラッチ回路２３は、クリアー端子に入力される信号合成回路２１からの第１合成信号がローレベルからハイレベルに変化したときに、そのとき保持出力しているハイレベルの異常信号の出力がクリアーされる。
【００２３】
次に、上記施解錠状態監視システムの動作を図３及び図４を参照しながら説明する。なお、以下の説明では、正常時及び異常時に、施錠と解錠の動作が第１シリンダー錠４、第２シリンダー錠５の順に行われたものとしている。
【００２４】
・正常時の動作…図３のタイミングチャート
第１シリンダー錠４及び第２シリンダー錠５が共に解錠状態にある状態から第１シリンダー錠４、第２シリンダー錠５の順に施錠動作が行われると、第１錠信号が「解錠」を示すローレベルから「施錠」を示すハイレベルに変化した後、第２錠信号が「解錠」を示すローレベルから「施錠」を示すハイレベルに変化する。これにより、ラッチ回路２３が保持出力するハイレベルの異常信号がリセット（クリアー）され、ラッチ回路２３の出力がローレベルとなる。
【００２５】
その後、第１シリンダー錠４及び第２シリンダー錠５が共に施錠状態となり、所定時間経過後、第１シリンダー錠４、第２シリンダー錠５の順にあまり間を空けることなく解錠動作が行われると、第１錠信号が「施錠」を示すハイレベルから「解錠」を示すローレベルに変化したときに、第１合成信号の立ち下がりのタイミングでタイマー回路２２のタイマーカウントが開始し、第２錠信号が「施錠」を示すハイレベルから「解錠」を示すローレベルに変化したときの第２合成信号の立ち下がりのタイミングでタイマー回路２２のタイマーカウントが停止する。このとき、第１シリンダー錠４、第２シリンダー錠５はあまり間を空けることなく解錠動作が行われたので、タイマー回路２２の経過時間がタイマー時間（設定時間）内となり、ラッチ回路２３からはハイレベルの異常信号は出力されない。すなわち、ラッチ回路２３の出力はローレベルのままとなる。
【００２６】
・異常時の動作…図４のタイミングチャート
第１シリンダー錠４及び第２シリンダー錠５が共に解錠状態にある状態から第１シリンダー錠４、第２シリンダー錠５の順に施錠動作が行われると、第１錠信号が「解錠」を示すローレベルから「施錠」を示すハイレベルに変化した後、第２錠信号が「解錠」を示すローレベルから「施錠」を示すハイレベルに変化する。これにより、ラッチ回路２３が保持出力する異常信号がリセット（クリアー）され、ラッチ回路２３の出力がローレベルとなる。
【００２７】
その後、第１錠信号が「施錠」を示すハイレベルから「解錠」を示すローレベルに変化すると、第１合成信号の立ち下がりのタイミングでタイマー回路２２がタイマーカウントが開始し、第２錠信号が「施錠」を示すハイレベルから「解錠」を示すローレベルに変化したときの第２合成信号の立ち下がりのタイミングでタイマー回路２２のタイマーカウントが停止することになるが、その際に、例えばバール等のこじ開けにより解錠操作がなされると、第２錠信号が「施錠」を示すハイレベルから「解錠」を示すローレベルに変化するまでに時間を要する。このため、タイマー回路２２のタイマーカウントによる経過時間がタイマー時間（設定時間）を越えることになり、ラッチ回路２３からハイレベルの異常信号が保持出力される。
【００２８】
なお、上述した動作では、正常時及び異常時のいずれにおいても、施錠動作と解錠動作が第１シリンダー錠４、第２シリンダー錠５の順に行われるものとして説明したが、第１シリンダー錠４と第２シリンダー錠５の施錠動作と解錠動作の順番は逆であってもよい。すなわち、本例の施解錠状態監視システムでは、ワンドア２ロックシステムに適用した場合、一方のシリンダー錠の解錠動作が行われてから他方のシリンダー錠の解錠動作が行われるまでの経過時間を監視し、この経過時間が予め設定した設定時間を越えたときに異常信号を保持出力するものである。
【００２９】
このように、本実施の形態の施解錠状態監視システムによれば、最初のシリンダー錠４の解錠動作が行われてから次のシリンダー錠５の解錠動作が行われるまでの経過時間を監視し、この経過時間が設定時間を越えたときに異常信号を保持出力する構成なので、全てのシリンダー錠４，５の施解錠状態を常時監視することができ、また外部からの不正行為による解錠を防止して防犯性能の向上を図ることができる。
【００３０】
ところで、本例の施解錠状態監視システムは、上述したワンドア２ロックシステムを採用した構成だけでなく、ワンドア２ロックシステムと警備システムを併用した構成にも適用することができる。例えば異常時にラッチ回路２３から出力される異常信号によって警備センターに通報したり、部屋に装備された警報装置を動作させて警報音を鳴らすことにより周囲に異常が発生したことを知らせることができる。
【００３１】
また、本例の施解錠状態監視システムにおける回路部分の構成は、上述した図２及び図３に示す動作を実現するものであれば、特に図１に示す回路構成に限定されるものではない。
【００３２】
さらに、本例の施解錠状態監視システムは、複数のシリンダー錠の各々から施錠を示す錠信号又は解錠を示す錠信号が出力できる構成であればよく、図２に示すようなキー１の挿入回転によって施解錠されるシリンダー錠の構成に限定されるものではない。例えば電子シリンダー錠にも適用することができる。電子シリンダー錠は、シリンダー錠の挿入口にキーが挿入されたときに、キー内の電子回路から固有の識別コードが送信され、この送信された識別コードをシリンダー錠側の電子回路で受信し、この受信した識別コードを施解錠許可識別コードとを比較して一致したときに施解錠を許可するものである。
【００３３】
また、上述した実施の形態では、２つのシリンダー錠４，５を備えたワンドア２ロックシステムに適用した場合について説明したが、３つ以上のシリンダー錠を備えたシステム（警備システムとの併用を含む）にも適用することができる。この場合、全てのシリンダー錠が施錠となっている状態から各シリンダー錠が順次解錠されたときに、解錠された順番に各シリンダー錠が解錠される間の経過時間を監視し、これらの経過時間が予め設定した設定時間を越えたときに異常信号を保持出力する。
【００３４】
さらに、上述した実施の形態では、全てのシリンダー錠が施錠となっている状態から各シリンダー錠が順次解錠されたときに、解錠された順番に各シリンダー錠が解錠される間の経過時間を監視し、これらの経過時間が予め設定した設定時間を越えたときに異常信号を保持出力する構成について説明したが、全てのシリンダー錠が解錠となっている状態から各シリンダー錠が順次施錠されたときに、施錠された順番に各シリンダー錠が施錠される間の経過時間を監視し、これらの経過時間が予め設定した設定時間を越えたときに異常信号を保持出力する構成ととしてもよい。例えば上記のようなワンドア２ロックシステムを採用した各戸を作業者が巡回し、各戸のシリンダー錠を全てのシリンダー錠が解錠となっている状態から各シリンダー錠を順次施錠してシリンダー錠の動作確認する場合、施錠された順番に各シリンダー錠が施錠される間の経過時間を監視し、これらの経過時間が予め設定した設定時間を越えたときにシリンダー錠の異常状態の発生を示す異常信号を保持出力する構成とすれば、シリンダー錠の動作異常の確認を行うことができる。
【００３５】
【発明の効果】
以上の説明で明らかなように、本発明によれば、シリンダー錠の施解錠状態を常時監視し、外部からの不正行為による解錠を防止して防犯性能の向上が図れ、また、シリンダー錠の動作異常の確認を行うことができる。
【００３６】
また、警備システムと併用した場合には、異常時に出力される異常信号によって警備センターに通報したり、部屋に装備された警報装置を動作させて警報音を鳴らすことにより周囲に異常が発生したことを知らせることができる。
【図面の簡単な説明】
【図１】本発明による施解錠状態監視システムのブロック構成図
【図２】同システムが採用されるワンドア２ロックシステムにおけるシリンダー錠の概略構成の一例を示す斜視図
【図３】同システムの正常時のタイミングチャート
【図４】同システムの異常時のタイミングチャート
【符号の説明】
１…キー、２，３…挿入口、４…第１シリンダー錠、５…第２シリンダー錠、６，９…突起片、７，１０…施錠用マイクロスイッチ（検知手段）、７ａ，８ａ，１０ａ，１１ａ…作動子、８，１１…解錠用マイクロスイッチ（検知手段）、２１…信号合成回路、２２…タイマー回路、２３…ラッチ回路。
【図１】
0004279438.tif 000002
【図２】
0004279438.tif 000003
【図３】
0004279438.tif 000004
【図４】
0004279438.tif 000005